(57)【要約】  本発明は、面状光の出力を調整するスイッチ操作が容易な照明システム及び面状光源を提供することを課題とする。  面状光源が取付部材から給電されて面状光を放射するものであって、面状光源は、嵌合部と、光放射面を有する面状光放射パネルと、嵌合部と面状光放射パネルとの間に介在する接続部を有し、嵌合部は、取付部材から面状光放射パネルへ給電する給電経路の一部を形成するものであり、面状光放射パネルは、面状発光タイルと、透光板を含み、面状発光タイルの一方の主面が発光領域を含み、面状光放射パネルは、点灯状態において、面状発光タイルの発光領域から透光板を透過させて面状光を放射するものであり、面状光源は、光放射面を押圧することで面状光の出力が調整される構成とする。
2017104239.tif 000002
【特許請求の範囲】
【請求項１】
被取付面に対して取り付け可能な取付部材と、前記取付部材に着脱可能に取り付けられた面状光源を含み、前記面状光源が前記取付部材から給電されて面状光を放射する照明システムであって、
前記面状光源は、前記取付部材の一部と嵌合可能な嵌合部と、前記面状光を放射する光放射面を有する面状光放射パネルと、前記嵌合部と前記面状光放射パネルとの間に介在する接続部を有し、
前記嵌合部は、前記取付部材から前記面状光放射パネルへ給電する給電経路の一部を形成するものであり、
前記面状光放射パネルは、面状発光タイルと、前記面状発光タイルを保護する透光板を含んでおり、
前記面状発光タイルは、一方の主面が発光領域を含み、
前記面状光放射パネルは、点灯状態において、前記面状発光タイルの前記発光領域から前記透光板を透過させて前記面状光を放射するものであり、
前記面状光源は、前記光放射面を押圧することで前記面状光の出力が調整されることを特徴とする照明システム。
【請求項２】
前記取付部材は、所定の方向に延びたダクトレールを含み、
前記面状光源は、前記取付部材に取り付けられた状態で、前記ダクトレールの延び方向に移動可能であることを特徴とする請求項１に記載の照明システム。
【請求項３】
前記面状光放射パネルは、前記光放射面を押圧することで点灯状態と消灯状態の間を切り替え可能であることを特徴とする請求項１又は２に記載の照明システム。
【請求項４】
前記被取付面は、少なくとも鉛直方向成分をもった面であり、
前記取付部材は、所定の方向に延びたダクトレールを少なくとも２つ含み、
前記２つのダクトレールは、互いに平行となるように前記被取付面に固定されており、
前記面状光源は、前記２つのダクトレールのうち、一方のダクトレールに対して着脱可能な第１着脱部と、他方のダクトレールに対して着脱可能な第２着脱部を有し、
前記第１着脱部は、前記嵌合部であることを特徴とする請求項１〜３のいずれかに記載の照明システム。
【請求項５】
前記被取付面は、鉛直方向成分をもった面であり、
前記取付部材は、所定の方向に延びたダクトレールを少なくとも２つ含み、
前記２つのダクトレールは、互いに平行となるように前記被取付面に固定されており、
前記面状光源は、前記２つのダクトレールに対して着脱可能な２つの着脱部を備えており、
前記２つの着脱部は、前記嵌合部を構成していることを特徴とする請求項１〜３のいずれかに記載の照明システム。
【請求項６】
前記光放射面は、消灯状態において、その外観が鏡面となることを特徴とする請求項１〜５のいずれかに記載の照明システム。
【請求項７】
前記接続部は、プッシュスイッチ部材を含んでおり、
前記プッシュスイッチ部材は、一対のスイッチ機構を備え、
前記一対のスイッチ機構は、前記光放射面と直交する方向に互いに対向するように並設されており、
前記一対のスイッチ機構は、点灯状態において電気的に接続され、消灯状態において電気的に遮断されることを特徴とする請求項１〜６のいずれかに記載の照明システム。
【請求項８】
前記プッシュスイッチ部材は、オルタネイト動作が可能なスイッチであり、
前記面状光源は、前記光放射面に対して所定の押圧力を加えることで所定の点灯状態又は消灯状態となり、その後に押圧力から開放されることで前記所定の点灯状態又は前記消灯状態を維持することを特徴とする請求項７に記載の照明システム。
【請求項９】
前記接続部は、前記面状光放射パネル側から順に保護部材及びプッシュスイッチ部材を含んでおり、
前記保護部材は、前記面状発光タイルの他方の主面を保護するものであって、前記光放射面に直交して設けられ、互いに対向する２つの接続部可動板を有し、
前記２つの接続部可動板は、鉛直方向成分をもって延びており、
前記２つの接続部可動板は、点灯状態において、いずれも前記プッシュスイッチ部材に嵌入されることを特徴とする請求項１〜８のいずれかに記載の照明システム。
【請求項１０】
前記面状光放射パネルは、対向する２つの電極層の間に有機発光層が介在した有機ＥＬ素子を含む有機ＥＬパネルであることを特徴とする請求項１〜９のいずれかに記載の照明システム。
【請求項１１】
被取付面に取り付けられた取付部材に対して着脱可能な面状光源であって、
前記取付部材に取り付けられた状態で、前記取付部材から給電されて面状光を放射するものであり、
前記取付部材の一部と嵌合可能な嵌合部と、前記面状光を放射する光放射面を有する面状光放射パネルと、前記嵌合部と前記面状光放射パネルとの間に介在する接続部を有し、
前記嵌合部は、前記取付部材から前記面状光放射パネルへ給電する給電経路の一部を形成するものであり、
前記面状光放射パネルは、透光板と、面状発光タイルを含んでおり、
前記面状発光タイルは、一方の主面が発光領域を含み、
前記面状光放射パネルは、点灯状態において、前記面状発光タイルの前記発光領域から前記透光板を透過させて前記面状光を放射するものであり、
前記光放射面を押圧することで前記面状光の出力が調整可能であることを特徴とする面状光源。
【請求項１２】
一対のダクトレールに対して着脱可能な一対の着脱部を含む面状光源であって、
光放射面を含む面状光放射パネルを有し、
前記面状光放射パネルは、透光板と、面状発光タイルと、前記着脱部と前記面状発光タイルとの間に介在する接続部を有し、
前記面状発光タイルは、一方の主面が発光領域を含み、他方の主面が少なくとも２種類の電極端子を含むものであり、
前記接続部は、前記面状光放射パネル側から順に、保護部材、及びプッシュスイッチ部材を含むものであって、前記２種類の電極端子と電気接続されており、
前記保護部材は、前記面状発光タイルの他方の主面を保護するものであり、
前記一対の着脱部のうち一方の着脱部は、前記一対のダクトレールのうち一方のダクトレールの一部と嵌合可能な嵌合部であり、
前記嵌合部は、前記接続部と電気的に接続されており、
前記一対の着脱部を前記一対のダクトレールに取り付けた状態において、前記一方のダクトレールから前記嵌合部を介して前記面状光放射パネルに給電可能となり、
前記面状光放射パネルは、点灯状態において前記面状発光タイルの前記発光領域から前記透光板を透過させて前記面状光を放射するものであり、
前記光放射面を押圧することで前記面状光の出力の調整が可能であることを特徴とする面状光源。
【発明の詳細な説明】
【技術分野】
【０００１】
本発明は、照明システム及び面状光源に関する。本発明は、特に光放射面を押圧することで面状光の出力が調整できる照明システムに関する。
【背景技術】
【０００２】
近年、白熱灯や蛍光灯に代わる光源として、有機ＥＬパネルに代表される面状光放射パネルが注目され、多くの研究がなされている。
ここで、有機ＥＬパネルは、薄く且つ面状に発光する有機ＥＬ素子を透光性基板上に形成した有機ＥＬタイルを、ベゼル（フレーム、枠）等の筐体に収納したり、透光板に保持せしめたりしたものである。【０００３】
有機ＥＬタイルは、基材となるガラス基板や透明樹脂フィルム／金属シート等の上に、一方又は双方が透光性を有し対向する陽極層及び陰極層と、これら電極層間に積層した有機機能層とからなる有機ＥＬ素子を形成したものである。有機ＥＬタイルは、一般にこのような有機ＥＬ素子を、凹状に窪みを作った封止ガラスキャップや、この有機ＥＬ素子上に製膜した酸化及び／又は窒化した珪素等の無機絶縁膜、又はアクリル系絶縁膜等の有機絶縁膜等からなる封止膜で封止したものである。
電極層間への給電により、有機ＥＬ素子の中で電気的に励起された電子と正孔が再結合し、有機ＥＬタイルは発光する。すなわち、有機ＥＬタイルは、薄くて軽く面状に発光する特徴を有する。【０００４】
ところで、このような有機ＥＬタイルに代表され、この他、ＬＥＤを面状に並べて面発光素子としたり、ＬＥＤ及び拡散板を組み合わせて面発光素子としたりして作製されたＬＥＤタイルのような面状発光タイルは、面状に発光することから、面状光源として使用される。
この面状発光タイルを光源として用いる際には、前記タイルに外部電源等を接続し、面発光素子へ給電するために、ＦＰＣ（フレキシブルプリント基板）やＲＰＣ（リジッドプリント基板）等のプリント基板（ＰＣＢ）を用いられる。【０００５】
このような、面状光放射パネルの壁等への取り付け構造として、特許文献１の取り付け構造がある。
特許文献１の取り付け構造は、商用電源と有機ＥＬパネルとを電気接続する取り付け装置を備えており、この取り付け装置は、天井板の有機ＥＬパネルと反対側の面に取り付けられるベース部と、有機ＥＬパネルの給電部と嵌合可能なコネクター部とを備えている。そして、特許文献１の取り付け構造は、有機ＥＬパネルの給電部が取り付け装置のコネクター部に嵌合することによって、天井板に支持された取り付け姿勢をとる。
【先行技術文献】
【特許文献】
【０００６】
【特許文献１】特開２０１３−１６８５３１号公報
【発明の概要】
【発明が解決しようとする課題】
【０００７】
特許文献１の取り付け構造は、薄く且つ面状に光を放射する面状光放射パネルの特長を活かした構造として、たとえ狭い場所であっても、優れた外観で設置可能であり効果的である。【０００８】
しかしながら、特許文献１の取り付け構造では、壁材や天井材等の内装部材のパネル配置面とは反対側の裏面にベース部を設ける必要があり、その設置に手間とコストがかかるという問題がある。
また、故障等により、パネルの交換が必要となる場合、その着脱時にパネル自体に力を加えてコネクター部から取り外す必要がある。そのため、その着脱動作において、パネルの破損等が生じないよう注意が必要である。
さらに、特許文献１の取り付け構造において、多数のパネルを配置した場合にパネル毎にＯＮ／ＯＦＦや調光したとすると、スイッチ等とパネル配置との対応関係の調整やこれらの出力等の調節が煩雑となるという問題がある。【０００９】
本発明は、このような先行技術の課題を解決すべく為されたものであり、面状光の出力を調整するスイッチ操作が容易な照明システム及び面状光源を提供することを目的とする。
【課題を解決するための手段】
【００１０】
上記した課題を解決するための本発明の一つの様相は、被取付面に対して取り付け可能な取付部材と、前記取付部材に着脱可能に取り付けられた面状光源を含み、前記面状光源が前記取付部材から給電されて面状光を放射する照明システムであって、前記面状光源は、前記取付部材の一部と嵌合可能な嵌合部と、前記面状光を放射する光放射面を有する面状光放射パネルと、前記嵌合部と前記面状光放射パネルとの間に介在する接続部を有し、前記嵌合部は、前記取付部材から前記面状光放射パネルへ給電する給電経路の一部を形成するものであり、前記面状光放射パネルは、面状発光タイルと、前記面状発光タイルを保護する透光板を含んでおり、前記面状発光タイルは、一方の主面が発光領域を含み、前記面状光放射パネルは、点灯状態において、前記面状発光タイルの前記発光領域から前記透光板を透過させて前記面状光を放射するものであり、前記面状光源は、前記光放射面を押圧することで前記面状光の出力が調整される照明システムである。【００１１】
ここでいう「被取付面」とは、照明システムの取付対象となる面であり、例えば、天井、壁、床、固定構造物等の壁面などをいう。
ここでいう「面状光の出力を調整する」とは、面状光の出力を段階的又は無段階的に調整することをいう。【００１２】
本様相によれば、被取付面に対して取付部材が取り付けられ、取付部材に対して着脱可能に取り付けられるものであるので、特許文献１のように内装部材の裏面にベース部を設ける必要がなく、安価簡便にパネルを設置可能である。
本様相によれば、面状光放射パネルの発光領域の光の放射方向に透光板が設けられているので、使用者が光放射面を押圧したときに面状光放射パネルが保護され、局所的に面状光放射パネルに荷重が加わることを防止できる。そのため、使用者の押圧操作時に光放射面に加わる押圧力によって面状光放射パネルが破損しにくい。
本様相によれば、透光板で面状発光タイルの剛性が補強されているので、交換時に面状発光タイルに過剰な負荷がかかりにくく、薄いタイルであっても、面状光放射パネルの破損を防止でき、面状光放射パネルを安全に交換可能である。
本様相によれば、光放射面を押圧することで面状光の出力が調整できるため、複数のパネルを配置した場合であっても、スイッチ等とパネル配置との対応関係の調整等の煩雑さを伴わずにパネルのＯＮ／ＯＦＦや調光等のスイッチ操作が可能である。【００１３】
ところで、近年、装着された照明部材に対して給電可能であり、かつ、照明部材の装着位置を長手方向に沿って移動させることが可能な、照明部材支持給電部材としてダクトレールが汎用されている。このダクトレールは、魅力的に商品を展示するために、ペンダントやスポット等の照明部材の支持給電用に商店等で多用され、さらには、一般家庭への導入も進んでいる。
このようなダクトレールは、例えばライティングレール（登録商標）、ライティングダクト、給電ダクト、スライドコンセント等とも称されており、ＪＩＳ  Ｃ８３６６にて規格化されており、プラグタイプと称されるライティングダクトの規格に合致した直接取り付け可能な照明部材の他、ライティングダクト用引っ掛けシーリング（ペンダント照明部材等を吊るして点灯させるための器具）や、コンセントプラグ部材などが装着可能である。【００１４】
そこで、好ましい様相は、前記取付部材は、所定の方向に延びたダクトレールを含み、前記面状光源は、前記取付部材に取り付けられた状態で、前記ダクトレールの延び方向に移動可能であることである。【００１５】
本様相によれば、ダクトレールによって、パネルに給電するとともに面状光源を支持する照明システムであり、ダクトレールに支持される面状光源がダクトレールの延び方向（長手方向）に移動可能であるので、長手方向における面状光源の取付位置（装着位置）を調整が容易である。
また、本様相によれば、全体としてスタイリッシュかつ身近な照明システムとなる。【００１６】
好ましい様相は、前記面状光放射パネルは、前記光放射面を押圧することで点灯状態と消灯状態の間を切り替え可能であることである。【００１７】
本様相によれば、使用者等が光放射面を押圧することで点灯状態と消灯状態の間を切り替え可能であるため、オンオフ操作等が容易である。【００１８】
好ましい様相は、前記被取付面は、少なくとも鉛直方向成分をもった面であり、前記取付部材は、所定の方向に延びたダクトレールを少なくとも２つ含み、前記２つのダクトレールは、互いに平行となるように前記被取付面に固定されており、前記面状光源は、前記２つのダクトレールのうち、一方のダクトレールに対して着脱可能な第１着脱部と、他方のダクトレールに対して着脱可能な第２着脱部を有し、前記第１着脱部は、前記嵌合部であることである。【００１９】
本様相によれば、第１着脱部が取付部材から面状光放射パネルへ給電する給電経路の一部を形成する嵌合部であるから、取り付けと同時に給電経路が確保でき、面状光放射パネルへの給電が容易である。
本様相によれば、面状光源を２つのダクトレールによって支持するため、より安定的に装着し支持でき、かつ、より損傷なく繰り返し脱着可能とすることができる。【００２０】
好ましい様相は、前記被取付面は、鉛直方向成分をもった面であり、前記取付部材は、所定の方向に延びたダクトレールを少なくとも２つ含み、前記２つのダクトレールは、互いに平行となるように前記被取付面に固定されており、前記面状光源は、前記２つのダクトレールに対して着脱可能な２つの着脱部を備えており、前記２つの着脱部は、前記嵌合部を構成していることである。【００２１】
本様相によれば、２つのダクトレールに対して着脱可能な着脱部が、ともに取付部材から面状光放射パネルへ給電する給電経路の一部を形成する嵌合部であるから、例えば、一方のダクトレールに取り付けられる着脱部で陽極側の電極端子に接続する給電経路を形成し、他方のダクトレールに取り付けられる着脱部で陰極側の電極端子に接続する給電経路を形成することで、より安全に面状光放射パネルへ給電することができる。
本様相によれば、面状光源を２つのダクトレールによって支持するため、より安定的に装着し支持でき、かつ、より損傷なく繰り返し脱着可能とすることができる。【００２２】
好ましい様相は、前記光放射面は、消灯状態において、その外観が鏡面となることである。【００２３】
本様相によれば、光放射のＯＦＦ時（消灯状態）に、光放射面がその外観が鏡面となるので、鏡として使用することができ、従来の照明に比べて、機能的で意匠性も良い。【００２４】
好ましい様相は、前記接続部は、前記接続部は、プッシュスイッチ部材を含んでおり、前記プッシュスイッチ部材は、一対のスイッチ機構を備え、前記一対のスイッチ機構は、前記光放射面と直交する方向に互いに対向するように並設されており、前記一対のスイッチ機構は、点灯状態において電気的に接続され、消灯状態において電気的に遮断されることである。【００２５】
本様相によれば、光放射面が操作用のプッシュスイッチを兼ねることができるので、通常のスイッチとは異なり大面積のプッシュスイッチ面としても、安定的にプッシュスイッチ操作をすることができる。【００２６】
より好ましい様相は、前記プッシュスイッチ部材は、オルタネイト動作が可能なスイッチであり、前記面状光源は、前記光放射面に対して所定の押圧力を加えることで所定の点灯状態又は消灯状態となり、その後に押圧力から開放されることで前記所定の点灯状態又は前記消灯状態を維持することである。【００２７】
ここでいう「所定の点灯状態」とは、全灯や半灯などの点灯状態の一形態をいう。【００２８】
本様相によれば、オルタネイト動作式のスイッチであるため、一度押圧するだけで異なる所定の点灯状態又は消灯状態に変更し、所定の点灯状態又は消灯状態に維持することができる。【００２９】
好ましい様相は、前記接続部は、前記面状光放射パネル側から順に保護部材及びプッシュスイッチ部材を含んでおり、前記保護部材は、前記面状発光タイルの他方の主面を保護するものであって、前記光放射面に直交して設けられ、互いに対向する２つの接続部可動板を有し、前記２つの接続部可動板は、鉛直方向成分をもって延びており、前記２つの接続部可動板は、点灯状態において、いずれも前記プッシュスイッチ部材に嵌入されることである。【００３０】
本様相によれば、点灯状態において、２つの接続部可動板によってプッシュスイッチ部材が挟まれて姿勢を維持した状態で移動するため、面状光源をより安定的に支持することができる。【００３１】
好ましい様相は、前記面状光放射パネルは、対向する２つの電極層の間に有機発光層が介在した有機ＥＬ素子を含む有機ＥＬパネルであることである。【００３２】
本様相によれば、面状光放射パネルが薄くて軽い有機ＥＬパネルであるので落下等が生じにくい。【００３３】
本発明の一つの様相は、被取付面に取り付けられた取付部材に対して着脱可能な面状光源であって、前記取付部材に取り付けられた状態で、前記取付部材から給電されて面状光を放射するものであり、前記取付部材の一部と嵌合可能な嵌合部と、前記面状光を放射する光放射面を有する面状光放射パネルと、前記嵌合部と前記面状光放射パネルとの間に介在する接続部を有し、前記嵌合部は、前記取付部材から前記面状光放射パネルへ給電する給電経路の一部を形成するものであり、前記面状光放射パネルは、透光板と、面状発光タイルを含んでおり、前記面状発光タイルは、一方の主面が発光領域を含み、前記面状光放射パネルは、点灯状態において、前記面状発光タイルの前記発光領域から前記透光板を透過させて前記面状光を放射するものであり、前記光放射面を押圧することで前記面状光の出力が調整可能である面状光源である。【００３４】
本様相によれば、特許文献１のように内装部材の裏面にベース部を設ける必要がなく、安価簡便にパネルを設置可能である。
本様相によれば、使用者が光放射面を押圧したときに面状光放射パネルが保護され、局所的に面状光放射パネルに荷重が加わることを防止でき、使用者の押圧操作時に光放射面に加わる押圧力によって面状光放射パネルが破損しにくい。
本様相によれば、交換時に面状発光タイルに過剰な負荷がかかりにくく、薄いタイルであっても、面状光放射パネルの破損を防止でき、面状光放射パネルを安全に交換可能である。
本様相によれば、複数のパネルを配置した場合であっても、スイッチ等とパネル配置との対応関係の調整等の煩雑さを伴わずにパネルのＯＮ／ＯＦＦや調光等のスイッチ操作が可能である。【００３５】
本発明の一つの様相は、一対のダクトレールに対して着脱可能な一対の着脱部を含む面状光源であって、光放射面を含む面状光放射パネルを有し、前記面状光放射パネルは、透光板と、面状発光タイルと、前記着脱部と前記面状発光タイルとの間に介在する接続部を有し、前記面状発光タイルは、一方の主面が発光領域を含み、他方の主面が少なくとも２種類の電極端子を含むものであり、前記接続部は、前記面状光放射パネル側から順に、保護部材、及びプッシュスイッチ部材を含むものであって、前記２種類の電極端子と電気接続されており、前記保護部材は、前記面状発光タイルの他方の主面を保護するものであり、前記一対の着脱部のうち一方の着脱部は、前記一対のダクトレールのうち一方のダクトレールの一部と嵌合可能な嵌合部であり、前記嵌合部は、前記接続部と電気的に接続されており、前記一対の着脱部を前記一対のダクトレールに取り付けた状態において、前記一方のダクトレールから前記嵌合部を介して前記面状光放射パネルに給電可能となり、前記面状光放射パネルは、点灯状態において前記面状発光タイルの前記発光領域から前記透光板を透過させて前記面状光を放射するものであり、前記光放射面を押圧することで前記面状光の出力の調整が可能である面状光源である。【００３６】
本様相によれば、特許文献１のように内装部材の裏面にベース部を設ける必要がなく、安価簡便にパネルを設置可能である。
本様相によれば、使用者が光放射面を押圧したときに面状光放射パネルが保護され、局所的に面状光放射パネルに荷重が加わることを防止でき、使用者の押圧操作時に光放射面に加わる押圧力によって面状光放射パネルが破損しにくい。
本様相によれば、交換時に面状発光タイルに過剰な負荷がかかりにくく、薄いタイルであっても、面状光放射パネルの破損を防止でき、面状光放射パネルを安全に交換可能である。
本様相によれば、複数のパネルを配置した場合であっても、スイッチ等とパネル配置との対応関係の調整等の煩雑さを伴わずにパネルのＯＮ／ＯＦＦや調光等のスイッチ操作が可能である。
本様相によれば、例えば、一方のダクトレールに取り付けられる着脱部で陽極側の電極端子に接続する給電経路を形成し、他方のダクトレールに取り付けられる着脱部で陰極側の電極端子に接続する給電経路を形成することで、より安全に面状光放射パネルへ給電することができる。
本様相によれば、より安定的に装着し支持でき、かつ、より損傷なく繰り返し脱着可能とすることができる。
【発明の効果】
【００３７】
本発明の照明システム及び面状光源によれば、面状光の出力を調整するスイッチ操作が容易である。
【図面の簡単な説明】
【００３８】
【図１】本発明の第１実施形態の照明システムの使用状況を模式的に示す斜視図である。
【図２】図１の照明システムの平面図である。
【図３】図１の照明システムを模式的に示した断面図である。
【図４】図１の照明システムを接続部で分解したときの分解斜視図である。
【図５】図１の面状光放射パネルを模式的に示した断面図である。
【図６】図１の照明システムの分解斜視図である。
【図７】図６の面状光源を図６とは異なる角度でみた斜視図である。
【図８】図７の接続部付近を模式的に示す斜視図である。
【図９】図１のプッシュスイッチ部材付近に注目した分解斜視図である。
【図１０】図９のハートカム溝の説明図であり、（ａ）はハートカム溝付近の斜視図であり、（ｂ）はハートカム溝の平面図である。
【図１１】図６のダクトレールの断面斜視図である。
【図１２】図６のダクトレールを模式的に示した断面図である。
【図１３】図３のプッシュスイッチ部材の動作機構を説明するための透視断面図であり、（ａ）はＯＦＦ状態、及び（ｂ）はＯＮ状態を示す。図１４におけるＹ−Ｙ‘平面の透視断面図である。
【図１４】図１３に示すプッシュスイッチ部材の動作機構を説明するための図１３におけるＸ−Ｘ‘平面の透視断面図であり、（ａ）はＯＦＦ状態、及び（ｂ）はＯＮ状態を示す。
【図１５】図３の嵌合部の非嵌合時の断面図（ａ）、及び図１２に示すダクトレールへの嵌合時の断面図（ｂ）である。
【図１６】図１の面状光源をダクトレールに嵌合させる際の面状光源の状況を示す説明図であり、（ａ）は非嵌合状態を表す斜視図であり、（ｂ）は嵌合状態を表す斜視図である。
【図１７】図１の照明システムのオン動作の説明図であり、（ａ）〜（ｄ）はプッシュスイッチ部材の要部の位置関係を時系列順に並べている。
【図１８】図１の照明システムのオフ動作の説明図であり、（ａ）〜（ｄ）はプッシュスイッチ部材の要部の位置関係を時系列順に並べている。
【図１９】本発明の他の実施形態における照明システムの斜視図である。
【図２０】本発明の他の実施形態におけるダクトレールの斜視図である。
【図２１】本発明の他の実施形態における照明システムの斜視図である。
【発明を実施するための形態】
【００３９】
以下、本発明の実施形態について図を参照しながら説明する。なお、以下の説明において、特に断りがない限り、上下左右の位置関係は、図１の通常の設置位置を基準に説明する。また、ダクトレール４０側を前方側、設置空間１０１側を後方側とする。
【００４０】
（照明システム１００）
本発明の第１実施形態の照明システム１００は、図１に示されるように、壁等の被取付面４００に取り付けられ、設置空間１０１を照らす面照明システムである。
照明システム１００は、ダクトレール４０（取付部材）及び面状光放射照明光源１０（以下、単に面状光源１０ともいう）を含んでおり、面状光源１０がこのダクトレール４０に装着され、このダクトレール４０から給電されて面状光を放射するものである。
すなわち、照明システム１００は、ダクトレール４０から面状光源１０に向かう方向（後方）に放射され、面状光源１０に含まれる面状光放射パネル６０（以下、単に面状パネル６０ともいう）の光放射面２０から放射される照明光をその設置空間１０１に放射可能となっている。
【００４１】
面状光源１０は、ダクトレール４０に嵌合／非嵌合可能な嵌合部４を含んでおり、照明システム１００は、この嵌合部４によりダクトレール４０に対して着脱が可能であることを一つの特徴とする。すなわち、照明システム１００は、ダクトレール４０と嵌合部４の嵌合関係によって、装着及び脱着が可能となっている。
面状光源１０は、ダクトレール４０から面状光源１０に含まれる面発光素子１（図３参照）に至る給電経路を含んでおり、嵌合部４がダクトレール４０から面発光素子１への給電に係る前記給電経路の一部を含んでいる。
【００４２】
照明システム１００は、面状光源１０の光放射面２０が面状光の出力を調整可能とする操作面として機能するプッシュスイッチ光放射面照明システムである。すなわち、面状光源１０の光放射面２０は、面状光たる照明光の放射面であり、点灯／消灯や、調光、調色を実施するプッシュスイッチ面である。
本実施形態の照明システム１００は、このように面状光源１０の光放射面２０が照明光の放射面だけではなく、光放射のＯＮ／ＯＦＦに係るプッシュスイッチ部材３４２（図３参照）のプッシュスイッチ面をも兼ねることを一つの特徴とする。
すなわち、照明システム１００は、面状光源１０の光放射面２０を押圧操作することによって、点灯状態と消灯状態の間を切り替え可能となっている。
【００４３】
照明システム１００は、面状光源１０をダクトレール４０に安定的に装着して支持し、かつ、損傷なく繰り返し脱着可能ならしめる観点から、２本以上のダクトレール４０を含むことが好ましい。
照明システム１００は、図１，図２に示すように、少なくとも２本のダクトレール４０が被取付面４００に取り付けられており、隣接する２本のダクトレール４０のうち、一方のダクトレール４０１及び他方のダクトレール４０２が互いに平行となることが好ましい。
互いに隣接する２本のダクトレール４０（４０１，４０２）は、ダクトレール４０内での短絡や漏電を確実に防止する観点から、図１１に示されるように、一方の電極をなす線状導体４１ａ，４１ｂのみを含む一方のレール４２ａ，４２ｂ及び他方の電極をなす線状導体４１ｃ，４１ｄのみを含む他方のレール４２ｃ，４２ｄをもつことが好ましい。
すなわち、一方のダクトレール４０１は、外部電源又は外部機器の一方の電極と電気的に接続される線状導体４１ａ，４１ｂを含むレール４２ａ，４２ｂを備え、他方のダクトレール４０２は、外部電源又は外部機器の他方の電極と電気的に接続される線状導体４１ｃ，４１ｄを含むレール４２ｃ，４２ｄを備えることが好ましい。
【００４４】
本実施形態の照明システム１００は、図２のように、複数のダクトレール４０が並設され、複数の面状光源１０が面状に広がりをもって配され、全体として照明を構成するものである。
以下の説明では、理解を容易にするために、一つの面状光源１０と一対のダクトレール４０に注目して説明する。
【００４５】
（面状光放射照明光源１０）
面状光放射照明光源１０（面状光源１０）は、図３に示されるように、光放射面２０側から、面状光放射パネル６０（面状パネル６０）、接続部３４、及び嵌合部４を含むものである。
【００４６】
接続部３４は、図３，図８のように、面状パネル６０と嵌合部４を接続する部位であり、タイル端子面保護部材３４１（以下、単に保護部材３４１ともいう）及びプッシュスイッチ部材３４２を含んでいる。
接続部３４は、図４，図８に示されるように、面状パネル６０及び保護部材３４１を含む光源本体２１と、プッシュスイッチ部材３４２及び嵌合部４を含む嵌合部材２２を有し、これらが分離可能となっている。このように、光源本体２１と嵌合部材２２とが分離可能であれば、本実施形態のように基本的な構造が板状の光源本体２１は、重ねてコンパクトに、かつ、破損の恐れなく梱包可能となる。
また本実施形態のように基本的な構造が数ｃｍ程度の断面積の棒状、又はブロック状の嵌合部材２２は、まとめて梱包箱に収納したり光源本体２１の梱包に付属せしめたりして運搬・販売可能であり、かつ、ダクトレール４０への取り付けも容易となる。
【００４７】
面状光源１０は、上述した面状パネル６０、接続部３４、及び嵌合部４以外にも、面状発光タイル３の筐体として機能するベゼルや、プリント基板（ＰＣＢ）、配線部材等を含むことができる。
【００４８】
面状光源１０は、図７に示されるように、少なくとも２つの嵌合部４（４ａ，４ｂ）（着脱部）を含むことが好ましい。
面状光源１０は、面状パネル６０の一方の極と電気的に接続された一方の嵌合部４ａと、面状パネル６０の他方の極と電気的に接続された他方の嵌合部４ｂを含むことが好ましい。また、面状光源１０は、一方の極をなしダクトレール４０１の線状導体４１ａ，４１ｂと電気接続される一方の嵌合部４ａ（第１着脱部）と、他方の極をなしダクトレール４０２の線状導体４１ｃ，４１ｄと電気接続される他方の嵌合部４ｂ（第２着脱部）を含むことが好ましい。
すなわち、面状光源１０は、給電経路の一部を構成し、かつ、一方のダクトレール４０１に着脱可能な一方の嵌合部４ａと、給電経路の一部を構成し、かつ、他方のダクトレール４０２に着脱可能な他方の嵌合部４ｂを含むことが好ましい。
【００４９】
以下、本発明の第１実施形態に係る面状光源１０の各構成部材の詳細につき説明する。
【００５０】
面状光源１０は、図７に示されるように、面状パネル６０と、接続部３４と、嵌合部４（４ａ，４ｂ）を有している。
【００５１】
（面状パネル６０）
面状パネル６０は、図６に示されるように、光放射面２０側から、透光板６及び面状発光タイル３を含み、プッシュスイッチ面を兼ねる光放射面２０が透光板６で構成されている。こうすることにより、面発光素子１を含む面状発光タイル３が、その発光面２５からの光を透過させつつ、スイッチ動作等に起因する衝撃から保護されていることを一つの特徴とする。
このような耐衝撃性効果を十分に発揮せしめる観点、及び、軽量かつ薄型の面状光源１０とせしめる観点から、面状発光タイル３は、薄さ及び軽さに特長を有する、有機ＥＬ素子を面発光素子１とする有機ＥＬタイルが好ましい。すなわち、面状パネル６０は、有機ＥＬパネルであることが好ましい。こうすることで、柔らかさや高演色性等の優れた特性の照明光を容易に得ることができる。
本実施形態の面状パネル６０は、有機ＥＬ素子を実装した有機ＥＬパネルである。
【００５２】
（透光板６）
透光板６は、プッシュスイッチ面を兼ねる光放射面２０を構成する板状部材である。
透光板６は、面状発光タイル３の発光面２５からの光を透過させつつ、スイッチ動作等に起因する衝撃から面状発光タイル３を保護する機能を有する。すなわち、透光板６は、面状発光タイル３の発光面２５を保護する保護板である。
【００５３】
このような透光板６の材料は、透光性を有していれば、ガラスや樹脂等を用いることができる。透光板６の材料は、安価かつ成形性に優れるだけでなく軽いことから透明熱可塑性樹脂が好ましい。
透光板６は、樹脂製の板状体であることが好ましい。
透光板６の材料は、例えば、塩ビ系樹脂、アクリル系樹脂、ポリエチレンテレフタレート（ＰＥＴ）系樹脂、ポリカーボネート系樹脂等の樹脂材料を用いることができるが、光透過性及び耐候性の観点からアクリル系樹脂がより好ましい。
【００５４】
透光板６の平均厚みは、０．５ｍｍ以上１０ｍｍ以下であることが好ましく、１ｍｍ以上５ｍｍ以下であることより好ましい。
この範囲であれば、衝撃保護性を十分に確保しつつ薄く軽い面状パネル６０とすることができる。
【００５５】
透光板６は、一方の主面である光放射面２０側から平面視したときに、少なくとも発光領域２を含む領域の最表面に光学機能体を備えることが好ましい。
こうすることによって、光放射面２０からの照明光の輝度や色、角度依存の光学特性や、照明対象物に対する配光性の向上させることができる。
【００５６】
この光学機能体には、レンズやプリズムを含まれており、光学機能体としては、例えば、レンズシート、プリズムシート、又はレンチキュラーレンズシート等を例示することができる。
光学機能体を有した透光板６としては、透光板６の本体板の表面にアクリル等からなる樹脂を塗ってナノインプリントしたものやガラスビーズを含んだ樹脂をスプレーコートやスリットコートしたものにできる。
光学機能体を有した透光板６としては、一表面に凹凸構造をもち、他表面に粘着材が付いた樹脂フィルム（光学フィルム）を、その一表面が透光板６の最表面となるように本体板に貼ったものであることが好ましい。このような光学フィルムには、光散乱性を付与することもできる。
この光学フィルムの貼り付けは、フィルム表面にキズが付き易いため、場合に応じて、面状パネル６０の組み立て後でもよいし、前でもよく、面状光源１０への面状パネル６０の取り付け後でもよい。
【００５７】
このような光学機能体は、光放射面２０の外観を光散乱性表面にする機能を有する。すなわち、この光学機能体は、光放射面２０の外観を例えば白色にする機能を有する。
面状光源１０は、このような白色の外観を呈する光学機能体を含む透光板６を用いることで、その外観をより優れたものにできる。
【００５８】
ところで、光学機能体を設けない場合、すなわち、透光板６が単なる透明板の場合において、図５のように、面状発光タイル３が有機ＥＬタイルであり、かつ、これに含まれる有機ＥＬ素子が非点灯時（消灯時）の場合には、光放射面２０の外観は、透明な印象を与え、かつ、いずれも反射性導電膜９の有機機能膜８側の表面が観察される金属光沢表面となる。
すなわち、光放射面２０の外観は、内蔵する有機ＥＬ素子の電極たる反射性導電膜９の色味が反映されて鏡面となる。
したがって、面状パネル６０として、このような非点灯時（消灯時）に鏡面の外観となる有機ＥＬパネルを用いることで、面状光源１０を非点灯時に鏡として用いることができる。すなわち、面状光源１０を、鏡のような外観を有し機能性や意匠性に優れた光源とすることが可能である。
【００５９】
（面状発光タイル３）
面状発光タイル３は、光放射面２０側の発光領域２を含む発光面２５（図６参照）と、その反対側の端子面２６（図７参照）とを両主面とし、これら両主面２５，２６間に、発光領域２に対応する面発光素子１を挟持するものである。
本実施形態の面状発光タイル３は、一方の主面が発光領域２を含む発光面２５であり、他方の主面が接続部３４の接触金属片Ａ６（図９参照）と電気的に接続可能な電極端子を設けた端子面２６である。そして、発光面２５と端子面２６との間に発光領域２に対応する面発光素子１が位置するものである。
【００６０】
面状発光タイル３は、面状光源１０をダクトレール４０で十分安定した状態で支持可能とする観点から、軽く薄いものであることが好ましい。具体的には、面状発光タイル３の平均厚みは、０．０２ｍｍ以上、５ｍｍ以下であることが好ましく、０．２ｍｍ以上、２ｍｍ以下であることがより好ましい。
面状発光タイル３に内蔵される面発光素子１は、軽く薄くする観点及び高品位の発光を得る観点から、有機ＥＬ素子であることが好ましい。
【００６１】
端子面２６は、少なくとも２種類の電極端子を含む。
端子面２６は、電極端子として、例えば、面発光素子１の陽極側に電気的に接続される陽極電極端子及び面発光素子１の陰極側に電気的に接続される陰極電極端子の少なくとも２種類の電極端子を含む。
【００６２】
このような面状発光タイル３たる有機ＥＬタイルについて詳述すると以下の通りである。
【００６３】
面状発光タイル３たる有機ＥＬタイルは、面積効率を高める観点等から、これに含まれる面発光素子１が、図５のように、面状発光タイル３の外部から直接給電される等電位電極層が対向する透光性陽極層たる透光性導電膜７及び反射性陰極層たる反射性導電膜９の１組のみをもつ有機ＥＬ素子であることが好ましい。このような有機ＥＬ素子は、例えば、透明性および封止性の観点から、その支持基材がガラス基板５であり、この場合、面発光素子１に対して光放射面２０側に位置することが好ましい。
【００６４】
有機ＥＬ素子は、図５のように、ガラス基板５上に、透光性導電膜７、有機機能膜８、及び反射性導電膜９を所定の形状で製膜することで、これらの膜の重畳部分として形成されたデバイスである。なお、有機機能膜８は、有機化合物を含有する有機発光層を含み、かつ、複数の薄膜が積層されたものである。
【００６５】
（封止）
面発光素子１たる有機ＥＬ素子は、外部からの水分の侵入を防ぐために、封止膜１６により封止されることが好ましい。
膜封止の場合、機械的な外力によるキズを防ぐために、ＰＥＴなどからなる保護フィルムを粘着材で貼り付けることが好ましい。こうすることによって、ダークスポット（ＤＳ）の発生や、突然の発光停止を防止することができる。
【００６６】
面状発光タイル３たる有機ＥＬタイルは、ガラス基板５上に透光性導電膜７、有機機能膜８、及び反射性導電膜９が積層され、ガラス基板５を平面視したときに透光性導電膜７、有機機能膜８、及び反射性導電膜９が重畳した有機ＥＬ素子を含んでいる。そして、面状発光タイル３は、有機ＥＬ素子がガラス基板５と封止膜１６で封止されている。
【００６７】
（接続部３４）
接続部３４は、面状パネル６０及び嵌合部４の間に介在し、ダクトレール４０から面発光素子１への給電に係る給電経路を含む部位である。
接続部３４は、図３に示されるように、端子面２６側（光放射面２０側）から、タイル端子面保護部材３４１（保護部材３４１）と、プッシュスイッチ部材３４２を含んでいる。
【００６８】
プッシュスイッチ部材３４２は、一対のプッシュスイッチ機構を備える部材である。
プッシュスイッチ部材３４２は、プッシュスイッチ面を押す（プッシュする）ことにより、スイッチ回路をＯＮ（閉）状態にしてその状態を維持する動作、及び、スイッチ回路をＯＦＦ（開）状態にしてその状態を維持する動作を担う部材である。すなわち、プッシュスイッチ部材３４２は、プッシュスイッチ面を押すことによって、一対のプッシュスイッチ機構は電気的に接続され、再度プッシュスイッチ面を押すことによって、一対のプッシュスイッチ機構は電気的に遮断される。
一対のスイッチ機構は、光放射面２０と直交する方向（前後方向Ｚ）に互いに対向するように並設されている。
【００６９】
（保護部材３４１）
保護部材３４１は、図７に示されるように、面状発光タイル３の端子面２６側を保護する部材である。
保護部材３４１は、使用者等によって透光板６に加えられた力を、面状パネル６０全面に亘って均一に受けることで、面状発光タイル３の破損を防止しつつ、面状パネル６０のダクトレール４０に対する傾きの発生を防止し、さらには、プッシュ動作の力を効率的にプッシュスイッチ部材３４２に集中せしめる機能を有する。
保護部材３４１は、効率的に前記機能を奏さしめる観点から、全体として面状パネル６０の直交する２辺と同等の長さの２軸たる軸部３４３，３４４を含むことが好ましい。
【００７０】
保護部材３４１は、外観に表れない保護部材とする観点から、前記直交する２辺の長さ未満の長さの２軸たる軸部３４３，３４４を含むものとすることがより好ましい。
保護部材３４１は、前記直交する２辺の長さの２／３以上の長さの２軸たる軸部３４３，３４４を含むことがさらに好ましい。
保護部材３４１は、本実施形態のように、面状パネル６０の直交する２辺に平行な、各々その辺の長さ未満、２／３以上の長さの２本以上の棒状材料たる軸部３４３，３４４を組み合わせたものとすることが特に好ましい。すなわち、保護部材３４１は、面状パネル６０の隣接する２辺に平行な２軸たる軸部３４３，３４４を有する。
なお、軸部３４３は、軸部３４４の長手方向の中央で交わっている。
【００７１】
本実施形態の保護部材３４１は、３本の軸部３４３，３４４ａ，３４４ｂから構成されており、軸部３４３，３４４ａ及び軸部３４３，３４４ｂがそれぞれ交差している。
【００７２】
このような保護部材３４１の材料としては、特に限定されるものでない。保護部材３４１の材料としては、例えば、ＳＵＳ、アルミニウム等の金属材料や樹脂材料等を用いることができるが、軽く、安価かつ成形性に優れる透明熱可塑性樹脂が好ましい。
【００７３】
保護部材３４１の厚み（接続部可動板Ａ５が存在する場合には接続部可動板Ａ５を除く厚み）、又は保護部材３４１を棒状材料とした場合における太さは、１ｍｍ以上、２０ｍｍ以下であることが好ましく、２ｍｍ以上、１０ｍｍ以下であることがより好ましい。
これらの範囲であれば、衝撃保護性や傾き発生抑制性を十分に確保しつつ、薄く軽い面状パネル６０とすることができる。
【００７４】
このような保護部材３４１は、前記した保護部材３４１の厚みには含まれない、図１３に示す接続部可動板Ａ５であって、プッシュスイッチ部材３４２に嵌入される接続部可動板Ａ５を、その一部として含むことが好ましい。こうすることで部材点数を削減することができる。
すなわち、保護部材３４１は、その一部が接続部可動板Ａ５で構成されていることが好ましい。この場合、接続部可動板Ａ５は保護部材３４１の厚みには含まないものとする。
このような接続部可動板Ａ５は、光放射面２０に直交し、かつ、対向して設けられてなる２つの板状部であることがより好ましい。接続部可動板Ａ５は、面状光源１０を安定的に支持せしめる観点から、鉛直方向（上下方向Ｙ）に延びる板状部とすることがさらに好ましい。
【００７５】
（プッシュスイッチ部材３４２）
プッシュスイッチ部材３４２は、プッシュスイッチ機構を有し、保護部材３４１と嵌合部４との間を連結する部材である。プッシュスイッチ部材３４２は、ダクトレール４０から面発光素子１への給電に係る給電経路の一部を含んでいる。
【００７６】
プッシュスイッチ機構としては、オルタネイト動作する機構であることが好ましい。
その方式としては、ハート状カム方式、回転カム方式、ラチエットカム方式等を挙げることができる。
【００７７】
本実施形態のプッシュスイッチ部材３４２は、図１３，図１４に示すように、オルタネイト動作方式のプッシュスイッチ機構であって、ハート状カム方式のプッシュスイッチ機構を備えている。
【００７８】
プッシュスイッチ部材３４２は、図１４に示されるように、特に、光放射面２０に直交し、かつ、対向する２面である２枚の上下面板部Ａ１Ｂ，Ａ１Ｂの各々にハートカム溝Ａ４，Ａ４を設け、光放射面２０を通常のスイッチとは異なり大面積のプッシュスイッチ面とすることで、安定的にプッシュスイッチ動作せしめることができる。
【００７９】
プッシュスイッチ部材３４２は、図９に示されるように、主要構成要素として、接続部本体Ａ１と、一対の固定接点端子板部Ａ２，Ａ２と、プランジャーＡ３と、保護部材３４１と、接触金属片Ａ６と、プッシュスイッチバネＡ７，Ａ７と、ピンＡ８，Ａ８を備えている。
【００８０】
接続部本体Ａ１は、プッシュスイッチ機構を構成する部位である。
接続部本体Ａ１は、図９，図１３，図１４から読み取れるように、嵌合部設置面板部Ａ１Ａと、上下面板部Ａ１Ｂ，Ａ１Ｂと、左右面板部Ａ１Ｃ，Ａ１Ｃによって構成されており、これら板部Ａ１Ａ，Ａ１Ｂ，Ａ１Ｂ，Ａ１Ｃ，Ａ１Ｃによって囲繞空間Ａ１Ｄが形成されている。
【００８１】
嵌合部設置面板部Ａ１Ａは、嵌合部４が設置される設置面を構成する板部である。
上下面板部Ａ１Ｂ，Ａ１Ｂは、囲繞空間Ａ１Ｄを挟んで上下方向Ｙに対向する板部である。上下面板部Ａ１Ｂ，Ａ１Ｂは、前後方向Ｚの中間部にハートカム溝Ａ４，Ａ４が形成されている。
左右面板部Ａ１Ｃ，Ａ１Ｃは、囲繞空間Ａ１Ｄを挟んで左右方向Ｘに対向する板部である。
【００８２】
ハートカム溝Ａ４は、平面視ハート状の溝であり、部分的に深さが異なる溝である。
ハートカム溝Ａ４は、図１４に示すように、互いに対向する上下面板部Ａ１Ｂの内側表面上に設けられた溝であって、ハート形状を中心とする方向性のある段差を設けた溝である。
具体的には、ハートカム溝Ａ４は、図１０に示されるように、環状に連続した有底溝であり、その周方向において、最も後方側に位置する基端部Ａ４Ａから順に、下り傾斜部Ａ４Ｂと、段差部Ａ４Ｃと、平滑部Ａ４Ｄと、段差部Ａ４Ｅと、上り傾斜部Ａ４Ｆと、段差部Ａ４Ｇと、上り傾斜部Ａ４Ｈと、段差部Ａ４Ｉを備えている。
下り傾斜部Ａ４Ｂは、段差部Ａ４Ｃに向かって緩やかに下り傾斜しており、その先端部は平滑部Ａ４Ｄの基端部よりも段差部Ａ４Ｃ分浅くなっている。
平滑部Ａ４Ｄは、上り傾斜部Ａ４Ｆの基端部よりも段差部Ａ４Ｅ分深くなっている。
上り傾斜部Ａ４Ｆは、段差部Ａ４Ｇに向かって緩やかに上り傾斜しており、その先端部が上り傾斜部Ａ４Ｈの基端部よりも段差部Ａ４Ｇ分浅くなっている。
上り傾斜部Ａ４Ｈは、段差部Ａ４Ｉに向かって緩やかに上り傾斜しており、その先端部が基端部Ａ４Ａよりも段差部Ａ４Ｉ分浅くなっている。
【００８３】
固定接点端子板部Ａ２，Ａ２は、図９に示されるように、間隔を空けて上下方向Ｙに対向する板部であり、その外側面に固定接点端子Ａ９，Ａ９が設けられている。
固定接点端子Ａ９，Ａ９は、嵌合部４と電気的に接続され、接触金属片Ａ６，Ａ６と接続する端子である。固定接点端子Ａ９，Ａ９は、板状又は箔状の導電体であり、上下方向Ｙにおける固定接点端子板部Ａ２，Ａ２の外側表面に形成されている。
【００８４】
プランジャーＡ３は、プッシュスイッチ機構を構成する部位である。
プランジャーＡ３は、図９に示されるように、内部にプランジャー空孔部Ａ３Ｂを備えた箱状体であり、６面を構成する壁面部Ａ３Ｃ，Ａ３Ｄ，Ａ３Ｄ，Ａ３Ｅ，Ａ３Ｅ，Ａ３Ｆを備えている。
嵌合部４側の壁面部Ａ３Ｃには、固定接点端子板部Ａ２，Ａ２及び固定接点端子Ａ９，Ａ９を挿通可能な固定接点用挿通孔Ａ３Ｇ，Ａ３Ｇが形成されている。
挿通孔Ａ３Ｇ，Ａ３Ｇは、左右方向Ｘに延びたスリット状に貫通孔である。
プランジャー空孔部Ａ３Ｂを挟んで上下方向Ｙに対向する壁面部Ａ３Ｄ，Ａ３Ｄには、接触金属片Ａ６の一部及びピンＡ８の一部を通過可能な開口部Ａ３Ｈ，Ａ３Ｈが設けられている。
壁面部Ａ３Ｃとプランジャー空孔部Ａ３Ｂを挟んで対向する壁面部Ａ３Ｆには、保護部材３４１の接続部可動板Ａ５，Ａ５を挿通可能な可動板挿通孔Ａ３Ｉ，Ａ３Ｉが設けられている。すなわち、プランジャー空孔部Ａ３Ｂは、開口部Ａ３Ｈ，Ａ３Ｈ及び挿通孔Ａ３Ｇ，Ａ３Ｇ，Ａ３Ｉ，Ａ３Ｉを介して外部と連通している。
【００８５】
保護部材３４１は、図９に示されるように、その先端部（前方側端部）に一対の接続部可動板Ａ５，Ａ５を備えている。
接続部可動板Ａ５，Ａ５は、プッシュスイッチ部材３４２に嵌入される可動板である。
接続部可動板Ａ５，Ａ５は、光放射面２０に直交し、左右方向Ｘに延びる板状体である。
接続部可動板Ａ５，Ａ５は、上下方向Ｙに間隔を空けて対向し、そのそれぞれの外側面に可動接点端子Ａ５Ａ，Ａ５Ａが形成されている。
可動接点端子Ａ５Ａ，Ａ５Ａは、面状パネル６０の端子面２６に形成された電極端子（図示せず）に電気的に接続され、点灯時に接触金属片Ａ６，Ａ６と接続する端子である。
可動接点端子Ａ５Ａ，Ａ５Ａは、板状又は箔状の導電体であり、接続部可動板Ａ５，Ａ５の上下方向Ｚの外側表面に形成されている。
【００８６】
接触金属片Ａ６は、固定接点端子Ａ９と可動接点端子Ａ５Ａを電気的に接続する導電部材である。接触金属片Ａ６は、後述するように、可動接点バネ部Ａ６Ａ及び板バネ部Ａ６Ｂを備えている。
【００８７】
プッシュスイッチバネＡ７，Ａ７は、嵌合部設置面板部Ａ１Ａに取り付けられ、プランジャーＡ３を後方側（光放射面側）に付勢する付勢部材であり、弾性をもった弾性部材でもある。
【００８８】
ピンＡ８は、接続部本体Ａ１に対するプランジャーＡ３の位置を誘導する位置誘導部材である。ピンＡ８は、図９に示されるように、前後方向Ｚに延びた板バネ接触部Ａ８Ｃと、板バネ接触部Ａ８Ｃの一方の端部（前方端部）から上下方向Ｙの外側に向かって立設されたハートカム溝接触先端部Ａ８Ｂと、板バネ接触部Ａ８Ｃの他方の端部（後方側端部）から上下方向Ｚの内側に向かって立設された保持孔挿入部Ａ８Ａを備えている。
【００８９】
ここで、プッシュスイッチ部材３４２におけるハート状カム方式のプッシュスイッチ機構の動作について図１３及び図１４を用いて説明する。
図１３におけるハートカム溝Ａ４は、図１４に示すＹ−Ｙ‘断面上方に位置する上下面板部Ａ１Ｂに設けられたハートカム溝Ａ４を、この部分のみ透視して、図１４に示すＹ−Ｙ‘断面下方に位置するプランジャーＡ３のプランジャー空孔部Ａ３Ｂ内に記載したものである。
【００９０】
ピンＡ８の一端である保持孔挿入部Ａ８Ａがプランジャーピン保持孔Ａ３Ａに挿入されて固定されており、他端であるハートカム溝接触先端部Ａ８Ｂがハートカム溝Ａ４に接するようにしつつ、プランジャーＡ３の摺動（図１３及び図１４における左右の動き）に合わせて移動させる。
プランジャーＡ３を一定の位置（図１３及び図１４の（ｂ））まで動作させて休止すると、ハートカム溝接触先端部Ａ８Ｂはハートカム溝Ａ４の段差で止まり元に戻らなくなる。再度プランジャーＡ３を動作させるとハートカム溝接触先端部Ａ８Ｂは少し後に戻り、溝形状によって初めの段差まで戻り自由状態となる（図１３及び図１４の（ａ））。プッシュスイッチ動作を２回実施すると、ハートカム溝接触先端部Ａ８Ｂはハート状のハートカム溝Ａ４を一周して、スイッチはＯＮ、ＯＦＦをする。
なお、このハート状カム方式のプッシュスイッチ機構の動作におけるピンＡ８のハートカム溝接触先端部Ａ８Ｂのハートカム溝Ａ４内での挙動については後ほどさらに詳説する。
【００９１】
図１４に示すプッシュスイッチ部材３４２は、ハート状カム方式のプッシュスイッチ機構において、接触金属片Ａ６として、可動接点バネ部Ａ６Ａと、板バネ部Ａ６Ｂと、接触金属片中間部Ａ６Ｃを含む金属片が用いられている。
本実施形態の接触金属片Ａ６は、一枚の金属片が折り曲げ加工されて可動接点バネ部Ａ６Ａと、板バネ部Ａ６Ｂと、接触金属片中間部Ａ６Ｃが構成されている。
すなわち、可動接点バネ部Ａ６Ａは、接触金属片中間部Ａ６Ｃの先端部から厚み方向の一方側に折り曲げられ、板バネ部Ａ６Ｂは、接触金属片中間部Ａ６Ｃの先端部から厚み方向の他方側に折り曲げられて形成されている。
【００９２】
可動接点バネ部Ａ６Ａは、ＯＮ／ＯＦＦにより固定接点端子Ａ９と金属の摺動接触により安定的電気接続が可能な部位である。
板バネ部Ａ６Ｂは、プランジャーピン保持孔Ａ３Ａに固定されたピンＡ８のハートカム溝接触先端部Ａ８Ｂをハートカム溝Ａ４に押し付けるために弾接せしめられる部位である。
【００９３】
この接触金属片Ａ６は、上記したように、一体的に成形された部品であるので、前記押し付けるために弾接せしめられた別体のばねが不要になり、使用部品数を削減することができると共に、プランジャー空孔部Ａ３Ｂ内のみに装着される部品がこの接触金属片Ａ６だけになる。そのため、プッシュスイッチ部材３４２の組立て作業が容易となり、安価なプッシュスイッチ部材３４２とすることができる。
【００９４】
また、図１４に示すように、接触金属片Ａ６は、これをプランジャーＡ３に固定するための接触金属片中間部であって、接続部可動板Ａ５に設けられた可動接点端子Ａ５Ａと摺動接触により電気接続される接触金属片中間部可動接点接触面を含む接触金属片中間部Ａ６Ｃを有することが好ましい。すなわち、接触金属片Ａ６は、接触金属片中間部Ａ６Ｃが接続部可動板Ａ５の可動接点端子Ａ５Ａと摺動することによって常に可動接点端子Ａ５Ａと電気的に接続されることが好ましい。
こうすることで、別途の給電部材が不要となるので、使用部品数を削減することができると共に、接続部３４の組立て作業が容易となり、安価な接続部３４とすることができる。
【００９５】
（ダクトレール４０）
ダクトレール４０は、図１２に示すように、嵌合部４が着脱可能なレールであり、鉛直面である被取付面４００に固定されることが好ましい。
ダクトレール４０は、少なくとも、互いに対向する一対の第一嵌合部挟持板４３及び第二嵌合部挟持板４４を含む部材である。
ダクトレール４０は、図６のように、上下方向Ｙに延びた細長い部材であり、これら挟持板４３，４４の間に、嵌合部４の少なくとも一部を挟み込むことが可能な間隙５０を有する。
ダクトレール４０は、図１１に示されるように、第一嵌合部挟持板４３の内側（間隙５０側）、及び／又は、第二嵌合部挟持板４４の内側（間隙５０側）に、１本以上のレール４２と、１本以上の線状導体４１（導電性部材）が固定されている。さらに、ダクトレール４０は、挟持板４３，４４の端部間を接続する側面板４５を含むことが好ましい。
【００９６】
本実施形態のダクトレール４０は、被取付面４００に対して取り付け可能な取付部材であって、嵌合部４が着脱可能なレールである。
ダクトレール４０は、断面形状が「コ」字状の長尺体であり、２本のレール４２，４２と、各レール４２，４２に対応する線状導体４１，４１と、所定の間隔を空けて対向する挟持板４３，４４と、挟持板４３，４４を接続する側面板４５と、ダクト側嵌合部４７を備えている。すなわち、ダクトレール４０の長手方向に対して直交する断面は、その三方が挟持板４３，４４及び側面板４５によって囲まれており、残りの一方が開放されている。
【００９７】
レール４２は、ダクトレール４０の長手方向（上下方向Ｙ）に連続し、ダクトレール４０の間隙５０側に向かって開口する凹部４６を有し、凹部４６の内部に線状導体４１（導電性部材）が固定されている。
【００９８】
ダクトレール４０は、図１２のように、挟持板４３，４４の各々に、１本の線状導体４１が固定された１本のレール４２が、凹部４６が互いに対向する向きとなるように固定されている。
【００９９】
線状導体４１，４１（４１ａ〜４１ｄ）は、外部電源、外部機器、又は他のダクトレール４０と電気的に接続可能な配線部材である。
ダクト側嵌合部４７は、嵌合部４の嵌合本体１７と嵌合可能な部位であり、具体的には、嵌合本体１７を挿着可能な溝である。
【０１００】
照明システム１００は、上記したように、１又は複数のダクトレール４０を含むように構成できる。
一のダクトレール４０のみを含むように構成する場合には、嵌合部４を、正負の異なる一対の電極端子１１，１２であって、面発光素子１にダクトレール４０から給電するための２種類の電極端子１１，１２を含むものとする。
さらに、ダクトレール４０も、一方の電極端子１１に対応する一方の線状導体４１ａ及びレール４２ａと、他方の電極端子１２に対応する他方の線状導体４１ｂ及びレール４２ｂとの２組の線状導体４１／レール４２を含むものとする必要がある。
【０１０１】
ダクトレール４０は、ダクトレール４０内での短絡や漏電を防止しつつ確実に嵌合部４に給電する観点から、正負のうち一種類の電極端子のみを含むものであることが好ましい。
【０１０２】
（嵌合部４）
面状光源１０は、装着時に、ダクトレール４０に嵌合される少なくとも１つの嵌合部４を含むものである。
面状光源１０は、装着時に、ダクトレール４０に嵌合される２つの嵌合部４を含むことが好ましく、２つ以上の嵌合部４を含むことがより好ましい。
面状光源１０は、嵌合部４が接続部３４と電気接続されてなる給電に係る給電経路の一部を含む。
【０１０３】
嵌合部４は、図１５のように、１又は複数の嵌合部４の全体として、面発光素子１に給電可能な２種類の電極端子として機能する電極端子１１，１２が存在する。電極端子１１，１２は、１又は複数のダクトレール４０から給電するための電極端子である。
すなわち、面状光源１０が１つの嵌合部４のみをもつ場合には、例えば一方の電極端子１１が面発光素子１の陽極と電気的に接続される陽極端子を担い、他方の電極端子１２が面発光素子１の陰極と電気的に接続される陰極端子を担う。
本実施形態のように複数の嵌合部４ａ，４ｂを備える場合には、一の嵌合部４ａの電極端子１１，１２が面発光素子１の陽極と電気的に接続される陽極端子を担い、他の嵌合部４ｂの電極端子１１，１２が面発光素子１の陰極と電気的に接続される陰極端子を担う。
【０１０４】
嵌合部４は、図１５に示すように、電極端子１１，１２が機械的に保護されるように、非嵌合の時に露出しないようスライド板１３，１３により遮蔽されて保護されている。嵌合部４は、嵌合の時には電極端子用バネ１４，１４により押し出されて突出し、ダクトレール４０の線状導体４１，４１に導通するようになっていることが好ましい。
【０１０５】
嵌合部４は、図１５のように、主要構成部材として、電極端子１１，１２と、スライド板１３，１３と、電極端子用バネ１４，１４と、スライド板用バネ１５，１５と、嵌合本体１７と、外郭部材１８を備えている。
電極端子１１，１２は、固定接点端子Ａ９，Ａ９（図９参照）と電気的に接続される端子である。
スライド板１３，１３は、前後方向Ｚにスライド移動可能な板体であり、非嵌合時において電極端子１１，１２を塞ぐ部材である。
電極端子用バネ１４，１４は、電極端子１１，１２をスライド板１３のスライド方向（前後方向Ｚ）に対して交差する方向に付勢部材である。
スライド板用バネ１５，１５は、スライド板１３，１３を前方に向かって付勢する付勢部材である。
嵌合本体１７は、ダクトレール４０のダクト側嵌合部４７と嵌合可能な部位である。
【０１０６】
具体的には、面状光源１０は、図１５（ａ），図１５（ｂ）に示すように、非嵌合時に電極端子１１，１２が露出しないようにするスライド板１３が嵌合部４に設けられている。
面状光源１０は、ダクトレール４０と嵌合部４が非嵌合状態であるときに、スライド板１３が非嵌合時位置にあることにより、これと当接する電極端子１１，１２に結合した電極端子用バネ１４，１４が縮んだ状態で保持される。
面状光源１０は、ダクトレール４０と嵌合するために、嵌合部４をダクトレール４０に挿入すると、ダクトレール４０の例えばレール４２の一部に押されてスライド板１３が嵌合時位置に移動する。こうなることにより、これと結合したスライド板用バネ１５が縮んだ状態になると共に、図１６に示されるように、電極端子用バネ１４が縮んだ状態から開放される。そして、電極端子用バネ１４の伸びる力を利用して、電極端子１１，１２を突出させてダクトレール４０の線状導体４１と当接させる機構となっている。
【０１０７】
要するに、ダクトレール４０に取り付けられていない非嵌合状態のときには、スライド板１３，１３で電極端子１１，１２が覆われて、電極端子１１，１２が電極端子用バネ１４によって外側に付勢された状態で保持される。
一方、ダクトレール４０に取り付けられた嵌合状態のときには、スライド板１３，１３が後方側にずれて、電極端子１１，１２がスライド板１３，１３から開放され、電極端子１１，１２が電極端子用バネ１４によって線状導体４１に向かって付勢される。
【０１０８】
（被取付面４００）
被取付面４００は、壁や構造物の壁面であり、少なくとも鉛直方向成分をもつ壁面である。被取付面４００は、床面に対して垂直に立ち上がった垂直壁面である。
【０１０９】
続いて、照明システム１００のオフ状態における各部材の位置関係について説明する。
【０１１０】
ダクトレール４０１，４０２の間隙５０，５０には、嵌合部４ａ，４ｂが挿入されており、線状導体４１ａ，４１ｂを嵌合部４ａ，４ｂの電極端子１１，１２が押圧して接触している。すなわち、線状導体４１ａ，４１ｂと電極端子１１，１２は、電気的に接続されている。
具体的には、嵌合部４ａ，４ｂは、レール４２ａ，４２ｂと接触することによってスライド板１３，１３が後方側にスライド移動され、電極端子１１，１２が電極端子用バネ１４，１４によって線状導体４１ａ，４１ｂに向かって付勢されている。
【０１１１】
接続部３４では、接続部本体Ａ１の内部にプランジャーＡ３が収納されており、さらにプランジャーＡ３のプランジャー空孔部Ａ３Ｂの内部に接続部可動板Ａ５，Ａ５の一部及び接触金属片Ａ６，Ａ６が挿入されている。
接触金属片Ａ６は、接触金属片中間部Ａ６Ｃが可動接点端子Ａ５Ａと直接接触して電気的に接続されている。接触金属片Ａ６は、可動接点バネ部Ａ６Ａがその復元力によって固定接点端子板部Ａ２の外側面を押圧しており、板バネ部Ａ６Ｂがその復元力によってピンＡ８の板バネ接触部Ａ８Ｃを押圧している。
【０１１２】
ピンＡ８は、一方の端部をなす保持孔挿入部Ａ８ＡがプランジャーＡ３のプランジャーピン保持孔Ａ３Ａに挿着されてプランジャーＡ３と一体となっており、他方の端部をなすハートカム溝接触先端部Ａ８Ｂが板バネ部Ａ６Ｂからの押圧力によって上下面板部Ａ１Ｂに設けられたハートカム溝Ａ４に挿入されている。
【０１１３】
続いて、使用者が照明システム１００をオンオフ操作する際の各部材の位置関係について説明する。
【０１１４】
使用者が面状光源１０の光放射面２０をプッシュスイッチバネＡ７，Ａ７の付勢力に逆らって押圧すると、図１７のように、その押圧力によってピンＡ８の保持孔挿入部Ａ８Ａが、ハートカム溝Ａ４の下り傾斜部Ａ４Ｂに沿って前方側に移動し、それに伴い、接触金属片Ａ６の可動接点バネ部Ａ６Ａが固定接点端子板部Ａ２上を固定接点端子Ａ９側に向かって移動する。そして、保持孔挿入部Ａ８Ａが段差部Ａ４Ｃを超えて平滑部Ａ４Ｄに至り、可動接点バネ部Ａ６Ａが固定接点端子Ａ９と接触した状態となり、接触金属片Ａ６と固定接点端子Ａ９が電気的に接続されたオン状態となる。
使用者が押圧を止めると、プッシュスイッチバネＡ７，Ａ７の復元力によって保持孔挿入部Ａ８Ａが平滑部Ａ４Ｄに沿って移動して段差部Ａ４Ｅを超える。このとき、可動接点バネ部Ａ６Ａが固定接点端子Ａ９と接触した状態で移動し、保持孔挿入部Ａ８Ａが段差部Ａ４Ｅに至ってもなお、可動接点バネ部Ａ６Ａが固定接点端子Ａ９と接触した状態を維持する。
【０１１５】
使用者が再度、面状光源１０の光放射面２０をプッシュスイッチバネＡ７，Ａ７の付勢力に逆らって押圧すると、図１８のように、その押圧力によって保持孔挿入部Ａ８Ａが上り傾斜部Ａ４Ｆに沿って前方に移動し、段差部Ａ４Ｇを超える。それに伴い、可動接点バネ部Ａ６Ａが固定接点端子Ａ９上を移動する。
そして、使用者が押圧を止めると、プッシュスイッチバネＡ７，Ａ７の復元力によって保持孔挿入部Ａ８Ａが上り傾斜部Ａ４Ｈに沿って移動して段差部Ａ４Ｉを超えて基端部Ａ４Ａに至る。このとき、可動接点バネ部Ａ６Ａが固定接点端子Ａ９から離れた位置となり、可動接点バネ部Ａ６Ａが固定接点端子Ａ９と接触しなくなる。すなわち、接触金属片Ａ６と固定接点端子Ａ９が電気的に絶縁されたオフ状態となる。
【０１１６】
本実施形態の照明システム１００によれば、薄く、且つ面状に光を放射する面状パネル６０の特長を活かすことができ、壁等の被取付面４００から狭い空間内に、安全に交換可能に優れた外観で設置可能である。すなわち、本実施形態の照明システム１００によれば、面状発光タイルの薄さ及び軽さの特長を活かした新たなスタイリッシュかつ身近な照明システムとなる。
本実施形態の照明システム１００によれば、内装部材の裏面にベース部を設ける必要が無いので、安価簡便にパネルを設置可能であり、薄いタイルであっても、交換時にパネルの破損の恐れなく安全に交換可能である。
本実施形態の照明システム１００によれば、複数のパネルを配置した場合であっても、スイッチ等とパネル配置との対応関係の調整等の煩雑さを伴わずにパネルのＯＮ／ＯＦＦ等が可能である。
本実施形態の照明システム１００によれば、面状光源１０のダクトレール４０への装着位置をダクトレール４０の長手方向に沿って移動可能な、スタイリッシュかつ身近な照明システムとなる。
【０１１７】
上記した実施形態では、壁に取り付けられるものであったが、本発明はこれに限定されるものではない。天井にダクトレール４０を取り付けて設置しても良いし、床にダクトレール４０を取り付けて設置しても良いし、机等の構造物にダクトレール４０を取り付けて設置してもよい。
【０１１８】
上記した実施形態では、面状光源１０が二本のダクトレール４０によって固定されていたが、本発明はこれに限定されるものではない。面状光源１０は一本のダクトレール４０によって固定されていてもよいし、三本以上のダクトレール４０によって固定されていてもよい。
【０１１９】
上記した実施形態では、正面視したときに、ダクトレール４０の一部が面状光源１０から張り出していたが、本発明はこれに限定されるものではない。図１９のように正面視したときに、ダクトレール４０が面状光源１０によって隠されていてもよい。
【０１２０】
上記した実施形態では、１つの嵌合部４に２つの電極端子１１，１２を設けた場合について説明したが、本発明はこれに限定されるものではない。全体としてダクトレール４０から面発光素子１に給電可能であれば、一つの嵌合部４ごとに一つの電極端子のみを設けてもよいし、３以上の電極端子を設けてもよい。
【０１２１】
上記した実施形態では、一対のダクトレール４０１，４０２に面状光源１０を取り付ける場合において、一方の嵌合部４ａに陽極端子１１，１２を設け、他方の嵌合部４ｂに陰極端子１１，１２を設けて一対のダクトレール４０１，４０２に支持させる場合について説明したが、本発明はこれに限定されるものではない。
全体としてダクトレール４０から対象の面発光素子１に給電可能であれば、図２０のように、一方のダクトレール４０１に２種類の極性をもつ線状導体４１ａ，４１ｂを設け、それに対応する嵌合部４ａに陽極端子１１及び陰極端子１２を設けてもよい。この場合、他方のダクトレール４０２には、線状導体４１ａ，４１ｂを設けなくてもよい。
また、一本のダクトレール４０で面状光源１０を支持してもよいし、３本以上のダクトレール４０で面状光源１０を支持してもよい。
【０１２２】
上記した実施形態では、ダクトレール４０が上下方向に延びるものであったが、本発明はこれに限定されるものではない。ダクトレール４０は他の被取付面４００の広がり方向、例えば、図２１のように、左右方向に延びるものであってもよい。
【０１２３】
上記した実施形態では、面状光源１０が正面視四角形状のものについて例示したが、本発明はこれに限定されるものではない。面状光源１０の正面形状は特に限定されない。例えば、面状光源１０の正面形状は、四角形の他、三角形や六角形などの多角形状であってもよいし、円形や楕円形等の曲線を含んだ外形をもつものであってもよい。
【０１２４】
上記した実施形態では、面状発光タイル３として有機ＥＬタイルを採用していたが、本発明はこれに限定されるものではない。面状発光タイル３として、ＬＥＤが面状に散りばめられたＬＥＤタイルを採用してもよい。
【０１２５】
上記した実施形態では、光放射面２０がプッシュスイッチ面を構成し、光放射面２０を押圧操作することによって、点灯状態と消灯状態を切り替える構成について例示したが、本発明はこれに限定されるものではない。光放射面２０を押圧操作することによって、面状光の出力を段階的又は無段階的に調整する構成としてもよい。
【符号の説明】
【０１２６】
１        面発光素子（面配置ＬＥＤ素子、有機ＥＬ素子）
４        嵌合部（着脱部）
４ａ      嵌合部（第１着脱部）
４ｂ      嵌合部（第２着脱部）
１０      面状光放射照明光源
１００    プッシュスイッチ光放射面照明システム
１１      一方の電極端子
１２      他方の電極端子
１３      スライド板
１４      電極端子用バネ
１５      スライド板用バネ
２        発光領域
３        面状発光タイル（有機ＥＬタイル）
３４      接続部
３４１    タイル端子面保護部材
３４２    プッシュスイッチ部材
４        嵌合部
４０      ダクトレール（取付部材）
４１      線状導体（導電性部材）
４２      レール
４３      第一嵌合部挟持板
４４      第二嵌合部挟持板
４５      側面板
５        ガラス基板
６        透光板
６０      面状光放射パネル（有機ＥＬパネル）
７        透光性導電膜
８        有機機能膜
９        反射性導電膜
４００  被取付面
Ａ１      接続部本体
Ａ１Ａ    嵌合部設置面板部
Ａ１Ｂ    上下面板部
Ａ１Ｃ    左右面板部
Ａ２      固定接点端子板部
Ａ３      プランジャー
Ａ３Ａ    プランジャーピン保持孔
Ａ３Ｂ    プランジャー空孔部
Ａ４      ハートカム溝
Ａ５      接続部可動板（タイル端子面保護部材３４１）
Ａ５Ａ    可動接点端子
Ａ６      接触金属片
Ａ６Ａ    可動接点バネ部
Ａ６Ｂ    板バネ部
Ａ７      プッシュスイッチバネ
Ａ８      ピン
Ａ８Ａ    保持孔挿入部
Ａ８Ｂ    ハートカム溝接触先端部
Ａ８Ｃ    板バネ接触部
Ａ９      固定接点端子
【図１】
2017104239.tif 000003
【図２】
2017104239.tif 000004
【図３】
2017104239.tif 000005
【図４】
2017104239.tif 000006
【図５】
2017104239.tif 000007
【図６】
2017104239.tif 000008
【図７】
2017104239.tif 000009
【図８】
2017104239.tif 000010
【図９】
2017104239.tif 000011
【図１０】
2017104239.tif 000012
【図１１】
2017104239.tif 000013
【図１２】
2017104239.tif 000014
【図１３】
2017104239.tif 000015
【図１４】
2017104239.tif 000016
【図１５】
2017104239.tif 000017
【図１６】
2017104239.tif 000018
【図１７】
2017104239.tif 000019
【図１８】
2017104239.tif 000020
【図１９】
2017104239.tif 000021
【図２０】
2017104239.tif 000022
【図２１】
2017104239.tif 000023
【国際調査報告】
2017104239.tif 000024
2017104239.tif 000025